(57)【要約】【課題】、光コンセント内のファイバ心線の収容を容易にするとともに確実性を高め、設置時における作業の効率向上と光コンセント自体の小型化を図ることができる光コンセントを提供すること。【解決手段】建築物の壁面に露出させて取付けられる又は分電盤内に設置される光コンセントＡであって、上記光コンセントＡはボックス本体１´と、該ボックス本体１´の前面開口部内に収納される光ファイバトレイ２と、該光ファイバトレイ２を覆うとともに上記ボックス本体１´の開口部全面を覆う内カバー３´と、該内カバー３´に係合しボックス本体１´及び内カバー３´全体を覆う化粧カバー４とを備え、上記光ファイバトレイ２の下端両側には光ファイバジャック１６を固定する固定部１７を設け、ボックス本体１´の下端中央には光ファイバのインドアケーブル５１を把持する把持部材１０を収容した。【選択図】図２
2006235557.tif 000002
【特許請求の範囲】
【請求項１】
建築物の壁面に露出させて取付けられる光コンセント又は分電盤内に設置される光コンセントであって、
上記光コンセントはボックス本体と、該ボックス本体の前面開口部内に収納される光ファイバトレイと、該光ファイバトレイを覆うとともに上記ボックス本体の前面を覆う内カバーと、該内カバーに係合しボックス本体及び内カバー全体を覆う化粧カバーとを備え、
上記光ファイバトレイの下端両側には光ファイバジャックを固定する固定部を設け、上記ボックス本体の下端中央には光ファイバのインドアケーブルを把持する把持部材を収容したことを特徴とする光コンセント。
【請求項２】
前記光ファイバトレイは前記ボックス本体に収容した際には固定手段でボックス本体に着脱可能に固定されるとともにボックス本体を壁面又は分電盤内に設置する取付穴を閉鎖し、且つ、上記ボックス本体の下端中央にはインドアケーブルを把持する把持部材及び防塵・気密用のブッシングを収容する収容部を設けた、請求項１記載の光コンセント。
【請求項３】
前記光ファイバトレイにはファイバ心線の余長を巻き回す巻回部を設け、該巻回部を所定間隔をおいて上下方向に複数並接した、請求項１又は２記載の光コンセント。
【請求項４】
前記巻回部は略円形状の内壁と、該内壁の外側に所定間隔をおいて配置された外壁とで構成され、該外壁には光ファイバ心線の飛び出しを防止する張出片を内壁に向かって突出形成するとともに、該張出片の長さを少なくとも上記内壁と外壁との間隔を略等しく形成し、上記内壁の上記張出片の先端に対応する部分には凹部を設けて張出片の先端と内壁との間には空隙を設けた、請求項３記載の光コンセント。
【請求項５】
前記光ファイバトレイには外部から前記ボックス本体内部に引き込んだインドアケーブルの光ファイバ心線と、ボックス本体内部に配置された光ファイバジャックに接続された光ファイバ心線とを融着接続するとともに、融着部を保護する補強スリーブを保持する保持部を設けた、請求項１乃至４記載の光コンセント。
【請求項６】
前記補強スリーブの保持部は補強スリーブの太さに対応して保持幅を変更可能な２段の異なる撓み構造を備えた、請求項５記載の光コンセント。
【請求項７】
前記ボックス本体は規格化された配線器具用プレートと略同じ大きさである、請求項１記載の光コンセント。
【請求項８】
前記ボックス本体には、前記収容部を上下端に設けるとともに、収容部を閉塞する閉塞体を退避させる退避部および、前記ブッシングを収容する収容部を設けた、請求項１、２、３又は７記載の光コンセント。
【請求項９】
前記ボックス本体裏面にはマグネットを着脱可能に配置した、請求項１、２、３、７又は８記載の光コンセント。
【発明の詳細な説明】
【技術分野】
【０００１】
本発明は、光コンセント、詳しくは光コンセントの小型化と設置作業の効率化を図った光コンセントに関するものである。
【背景技術】
【０００２】
一般に、建物等の内部に導かれた光ケーブルにはケーブル同士の接続がし易いように余長部分が設けられており、接続後の余長部分は、光コンセント内に巻回された状態で収納されている。この光コンセントの小型化を図るために、被覆樹脂を除去した心線のみを光コンセント内に形成された巻回部を巻回すようにしたものが提案されている。この光コンセントは心線が巻回部から外れないように張出部分が形成されている（例えば、特許文献１）。
【特許文献１】特開２００４−６１９８４号公報
【発明の開示】
【発明が解決しようとする課題】
【０００３】
本発明が解決しようとする問題点は、上述の巻回部に巻き回したファイバ心線は長さが必ずしも一定ではないため、巻回部に接触して巻き付けられる場合もあり、巻回部から非接触で離れて巻かれる場合もあり、しかもファイバ心線は弾性があるため外側に広がろうとするので張出部分から外れ巻回部から飛び出してしまい設置に手間を取られる恐れがあった。
【０００４】
本発明は、上記問題点を解決し、光コンセント内のファイバ心線の収容を容易にするとともに確実性を高め、設置時における作業の効率向上と光コンセント自体の小型化を図ることができる光コンセントを提供することを課題とする。
【課題を解決するための手段】
【０００５】
前記課題を解決するために本発明に係る光コンセントは、建築物の壁面に露出させて取付けられる光コンセント又は分電盤内に設置される光コンセントであって、上記光コンセントはボックス本体と、該ボックス本体の前面開口部内に収納される光ファイバトレイと、該光ファイバトレイを覆うとともに上記ボックス本体の前面を覆う内カバーと、該内カバーに係合しボックス本体及び内カバー全体を覆う化粧カバーとを備え、上記光ファイバトレイの下端両側には光ファイバジャックを固定する固定部と、下端中央には光ファイバのインドアケーブルを把持する把持部材を収容したことを特徴とする。
【０００６】
なお、前記光ファイバトレイは前記ボックス本体に収容した際には固定手段でボックス本体に着脱可能に固定されるとともにボックス本体を壁面又は分電盤内に設置する取付穴を閉鎖し、且つ、光ファイバトレイの下端中央には光ファイバを把持する把持部材及び防塵・気密用のブッシングを収容する収容部を設けるようにしてもよい。
【０００７】
そして、前記光ファイバトレイにはファイバ心線の余長を巻き回す巻回部を設け、該巻回部を所定間隔をおいて上下方向に複数並接することが好ましい。
【０００８】
また、前記巻回部は略円形状の内壁と、該内壁の外側に所定間隔をおいて配置された外壁とで構成され、該外壁には光ファイバ心線の飛び出しを防止する張出片を内壁に向かって突出形成するとともに、該張出片の長さを少なくとも上記内壁と外壁との間隔を略等しく形成し、上記内壁の上記張出片の先端に対応する部分には凹部を設けて張出片の先端と内壁との間には空隙を設け、光ファイバ心線を巻回部に容易に巻き回すことができるとともに巻き回した光ファイバ心線が巻回部から飛び出さないようにすればよい。
【０００９】
そして、前記光ファイバトレイには外部から前記ボックス本体内部に引き込んだインドアケーブルの光ファイバ心線と、ボックス本体内部に配置された光ファイバジャックに接続された光ファイバ心線とを融着接続するとともに、融着部を保護する補強スリーブを保持する保持部を設け、収容した光ファイバ心線と補強スリーブとが安定した状態で保持させることが好ましい。
【００１０】
なお、前記補強スリーブの保持部は補強スリーブの太さに対応して保持幅を変更可能な２段の異なる撓み構造を備え、太さの異なる補強スリーブに柔軟に対応できるようにしてもよい。
【００１１】
さらに、前記ボックス本体は規格化された配線器具用プレートと略同じ大きさで、設置時のスペースを従来の配線器具用プレートと同様であることが好ましい。
【００１２】
そして、前記ボックス本体には、前記収容部を上下端に設けるとともに、収容部を閉塞する閉塞体を退避させる退避部および、前記ブッシングを収容する収容部を設け、設置の自由度を高めるとともに収容部の使用の如何に対応できるようにしても構わない。
【００１３】
また、前記ボックス本体裏面にはマグネットを着脱可能に配置し、マグネットで金属の壁面などに設置できるようにしてもよい。
【発明の効果】
【００１４】
請求項１の発明によれば、ボックス本体内に光ファイバトレイを収容し、その上から内カバーと化粧カバーとでボックスの開口部全面を遮蔽することができるので、屋外などの設置にも対応した光コンセントを提供することができる。
【００１５】
請求項２の発明によれば、光ファイバトレイは固定手段でボックス本体に着脱できるとともに、ボックス本体に形成された取付穴を閉鎖し、光ファイバを把持する把持部材及び防塵・気密用のブッシングを収容する収容部を設けたので、底面側及び光ファイバの引き込み部からの防塵性を高めることができる。
【００１６】
請求項３の発明によれば、ファイバ心線を引き回す巻回部を光コンセント内に２箇所並接したので、ファイバ心線の巻きまわしの自由度が高くなるとともに、余長の調整がし易くなり設置時の作業の効率化を図ることができる。
【００１７】
請求項４の発明によれば、外壁に形成された張出片が巻回部に巻きまわしたファイバ心線の浮き上がりを抑え、ファイバ心線が巻回部から外れることがなくなり確実に光コンセントないに光ケーブルを収納することができる。
【００１８】
請求項５の発明によれば、ファイバ心線の接続部を保護する補強スリーブの保持部を設けたので融着部に負荷がかかることがなくトラブルの発生を防止できる。
【００１９】
請求項６の発明によれば、ファイバ心線の本数によって補強スリーブの太さが変わっても容易に対応することができる光コンセントを提供することができる。
【００２０】
請求項７の発明によれば、ボックス本体を規格化された配線器具用プレートと略同じ大きさに設定したので、分電盤内にも容易に設置することができる。
【００２１】
請求項８の発明によれば、ボックス本体の上下部に収容部を設け、上部の収容部を使用するか否かによって設置の自由度が高められるとともに、閉塞体、ブッシングの使用不使用に柔軟に対応することができる。
【００２２】
請求項９の発明によれば、ボックス本体の裏側面に磁石を設けることにより、ネジ止めできない金属の壁面などにも設置することができる。
【発明を実施するための最良の形態】
【００２３】
図１は本発明に係る光コンセントＡの正面図及び底面図を示し、図２は光コンセントＡの分解斜視図を示す。この光コンセントＡは規格化された配線器具用プレートと略同じ大きさに形成され、建築物の壁面や分電盤内に設置することができるように構成されているものである。この光コンセントＡは入力側のインドアケーブルをファイバジャックに分岐接続、若しくはこの光コンセントＡを経由して他の光コンセントＡに接続するための出力側のインドアケーブルに接続するとともに、インドアケーブルとファイバジャック若しくはインドアケーブル同士を接続するために必要なファイバ心線の余長を収容することができるようにしたものである。
【００２４】
光コンセントＡは、ボックス本体１に光ファイバトレイ２を配置し、その上から内カバー３を被せ、その上から建築物の壁面に露出して設置しても塵埃などの影響を受けないように化粧カバー４を取り付けたもので、ボックス本体１は分電盤や壁面にネジで固定することができるようにネジ穴５が形成され、中央には後述する光ファイバトレイ２の係合孔１５に係合し、光ファイバトレイ２をボックス本体１内に着脱可能に固定するための固定手段である係合凸部６が、下部には後述するインドアケーブルを把持する把持部材１０及び防塵・気密用のブッシング１１を収容する収容部７と、収容部７の両側にファイバプラグを差し込む差し込み孔８が形成されている（図３参照）。収容部７は箱状に形成され、前面の切欠き部７ａと後面の壁７ｂにはそれぞれインドアケーブルを通す貫通孔９、９が形成されている。
【００２５】
把持部材１０は側面視コ字状に折り曲げ形成された金属で前後にはＵ字状の切込み１２が形成され、インドアケーブルの被覆部分に噛み込んでインドアケーブルがずれないように把持するもので、ブッシング１１はゴムなどの弾性部材で前後方向にインドアケーブルを挿通させる挿通孔１３が形成され、把持部材１０の外側に配置することによりボックス本体１内部に塵埃などを浸入させないようにしている（図２参照）。
【００２６】
なお、図２おいて、符号１４は環状の磁石を示し、この磁石１４はネジ２３によって、ボックス本体１の裏面に固定されるもので、ボックス本体１には裏面から磁石１４を収容するとともにネジ２３を捻じ込むネジ孔が形成された膨出部２４が形成されている。
【００２７】
光ファイバトレイ２は、図４に示すように、底面に形成された係合孔１５をボックス本体１に突出形成された係合凸部６に係合させることによりボックス本体１に取り付けることができるようになっている。
【００２８】
この光ファイバトレイ２は、光ファイバジャック１６を固定する固定部１７と、ファイバ心線１８を巻き回す巻回部２０と、ファイバ心線１８同士を融着接続するとともに融着部を保護する補強スリーブ２１を保持する保持部２２とが設けられている。
【００２９】
上記巻回部２０は所定間隔をおいて並設した内壁２５と外壁２６とで構成し、外壁２６の上端面には内壁２５に向かって張出片２７を突出形成するとともに、この張出片２７の長さを少なくとも上記内壁２５と外壁２６とで形成された通路３０の幅（間隔）Ｌと略等しく形成するとともに前部上面には先端に向かって下方に傾斜するガイド突部２７ａを形成し、上記内壁２５の上記張出片２７の先端に対応する部分は内方に曲折させて凹部２８を形成して張出片２７の先端と内壁２５との間には空隙を設けたので（図５（ａ）参照）、ファイバ心線１８をガイド突部２７ａに沿って空隙から通路３０内に容易に収容できるようにするとともに、一旦収容したファイバ心線１８は張出片２７に遮られて意図的に外さない限り通路３０から飛び出さないようになっている。
【００３０】
上記内壁２５は半径が光ファイバ心線１８の許容される最小曲寸法Ｒ１５以上を確保するように略円形状に形成され、図４上で、上下方向に所定間隔を置いて配置された第１の内壁２５ａと第２の内壁部２５ｂとで構成されている。
【００３１】
そして、外壁２６は第１の内壁２５ａの下方に円弧状に形成された第１の外壁部２６ａ、第２の内壁部２５ｂの上方に円弧状に形成された第２の外壁部２６ｂ及び、第１の内壁２５ａと第２の内壁部２５ｂとの間に形成された２つの略三角形状の第３の外壁２６ｃで構成されている。
【００３２】
そして、各外壁部の上端面には内壁２５に向かって張出片２７が突出形成されている。この張出片２７は上述したように、内壁２５の外周面に略到達するように形成され、この張出片２７に対応する内壁２５は内方に曲折して凹部２８が形成され、内壁２５の凹部２８と張出片２７の先端との間隔がファイバ心線１８の太さよりもやや広くなるように設定されている。
【００３３】
第１の内壁２５ａの中央は上下方向にインドアケーブルのファイバ心線１８を通す通路２９が形成され、この通路２９の両端開口部は、通路２９への出入り時にファイバ心線１８が急激に折れ曲がらないよう外広がりに湾曲して形成されている。
【００３４】
さらに、第１の内壁２５ａの下方には、光ファイバジャック１６を固定する固定部１７が設けられ、第３の外壁２６ｃの外側にはファイバ心線１８同士を融着接続するとともに融着部を保護する補強スリーブ２１を保持する保持部２２とが設けられている。
【００３５】
固定部１７には先端にフックが形成されたコ字状の係止部３１、３２が立設され、光ファイバジャック１６を両側から係止してファイバトレイ２上に固定することができるようになっている。又、固定部１７及び内カバーには光ファイバジャック１６の上下面に形成されている凸部３９（図１０参照）の係合する係合溝３８がそれぞれ設けられ、光ファイバプラグの着脱時に、光ファイバジャック１６の移動を防止している。
【００３６】
保持部２２は上述した第３の外壁２６ｃの外側壁面３３と保持板３４とで構成され、保持板３４は側面視略Ｌ字状の支持板３５の上部両側に係合片３６、３６が第３の外壁２６ｃの壁面３３に向かって湾曲して形成されるとともに、支持板３５がトレイに形成された開口部３７の中央に突出して形成されたもので、係合片３６の矢印ａ方向の撓みと支持板３５の矢印ｂ方向の撓みとの２つの撓みで太さの異なる補強スリーブ２１に柔軟に対応することができるようになっている（図５（ｂ）参照）。
【００３７】
内カバー３は、図６（ａ）（ｂ）に示すように、板状で表面側の周囲には係止部４０が突出して形成され、孔４１を通してネジでボックス本体１に固定することができるようになっており、固定時にはボックス本体１の開口部全面を塞ぐことができるようになっている。そして、前端には下方に突出して、ボックス本体１の切欠き部７ａを塞ぐ張出部４２が形成され、この張出部４２にも貫通孔９の一端が形成されている。
【００３８】
化粧カバー４は背面側に内カバー３の係止部に係止するフック４３が形成され（図７（ｂ）参照）、内カバー３に重合した状態で上から押し付けることによりフック４３が内カバー３の係止部４０に係止され、内カバー３を介してボックス本体１に固定できるようになっている。
【００３９】
次に、上記構成の光コンセントＡの設置態様を図８（ａ）〜（ｄ）に基づいて説明する。
【００４０】
先ず、ボックス本体１を建築物の壁面や、配電盤にネジ５０で固定する（図８（ａ）参照）。
【００４１】
次にインドアケーブル５１をブッシング１１の挿通穴１３に挿通した後、インドアケーブル５１の被覆を剥いてファイバ心線１８を出し、光ファイバジャック１６から出ているファイバ心線１８と融着接続し、更に融着部を補強スリーブの略中央に配置して補強スリーブを熱溶着固定してファイバ同士の接続部を保護する。ファイバ心線１８の余長は巻回部２０に適宜ルートで巻き回し、補強スリーブ２１を保持部２２に保持させ、光ファイバジャック１６を固定部１７に固定し、ファイバトレイ２をボックス本体１に固定する。そして、インドアケーブル５１を把持部材１０に把持させて、ボックス本体１にファイバトレイ２が収容された状態にする（図８（ｂ）参照）。その後、内カバー３をネジ５２でボックス本体１に固定してボックス本体１の全面を塞ぎ（図８（ｃ）参照）、さらに前面から化粧カバー４をあてがいボックス本体１（内カバー３）に押し付けると、フック４３が内カバー３の係止部４０に係止され、内カバー３を介してボックス本体１に化粧カバー４を固定すればよい（図８（ｄ）参照）。このようにして組み上げた光コンセントＡには、図８（ｂ）に示すように、光ファイバジャック１６が１つだけ配置されているので、ボックス本体１内に塵埃が入らないようにするため、固定部１７の開口部分は遮蔽部材であるブランチチップ５３で塞げばよい。このようにして構成された光コンセントＡは防塵性も確保されるので建物の壁面などに設置することができる。
【００４２】
なお、上述の光コンセントにおけるファイバ心線の巻き回しは、１心のファイバ心線を収容し、１つのファイバプラグ５５を接続できるようにした場合について説明したが、２心のファイバ心線を収容し、２つのファイバプラグ５５を接続できるようにする場合は、
２心ファイバテープ心線の先端を分割し、その先端部に２つのファイバジャックを夫々装着した形態のファイバジャックを用意し、２心のファイバテープ心線のインドアケーブルとの接続方法を採用すれば、ファイバ心線２本づつを同時に融着加工できるので融着工程が１回で済み、且つ補強スリーブも１個で補強でき、図９（ａ）に示すように２心のファイバテープ心線を図８（ｂ）に示したと同様に巻き回して図面上右側の光ファイバジャック１６を固定部１７に固定し、他方のファイバジャックは２心のファイバテープ心線の先端を分割した以後を８の字に巻き回して方向転換し図面上左側の固定部に固定すればよく、２つのファイバプラグ５５を接続することができる。
【００４３】
また、４心テープ心線のインドアケーブルの被覆を剥いで先端を２心のテープ心線２本に分割し、一方の２心テープ心線を図９（ａ）同様に接続し、他方の２心テープ心線は予めブッシング１１の他方の挿通穴１３に挿通させた２心テープ心線のインドアケーブルと接続して接続部を補強スリーブ２１で保護し、補強スリーブ２１を他方の保持部に保持して図９（ｂ）に示すようにファイバ心線を巻回部に巻き回し、把持部材１０を経由して外部に引き出せばよい。
【００４４】
上述したように、巻回部２０を２箇所設け、ファイバ心線の引き回しを変えれば光コンセントＡ２の中央部分から引き込んだ光ファイバを、左右のファイバジャックに引き出すことができるし、４心（２心でも可）のファイバ心線を内部で分岐し、外部に引き出すことができ、ファイバトレイ２内で自由にファイバ心線を引き回すことができるので、従来の巻回部が１つしかない光コンセントに比べ、狭い横幅であっても光ファイバの分岐を多く取れる光コンセントを実現することができる。
固定部１７´と、ファイバ心線１８を巻き回す巻回部２０と、ファイバ心線１８同士を融着接続するとともに融着部を保護する補強スリーブ２１を保持する保持部２２とが設けられている。
【００４５】
次に、光コンセントの他の例について説明する。この光コンセントＡ´は、上述の光コンセントＡが最大２つのファイバプラグ５５を接続することができるものであるのに対し、最大４つのファイバプラグ５５を接続できるように、ハイバージャック１６を最大４つ配置できるようにしたものである（図１１（ａ）（ｂ）参照）。
【００４６】
光コンセントＡ´は、図１２に示すように、ボックス本体１´に光ファイバトレイ２´を配置し、その上から内カバー３´を被せ、その上から建築物の壁面に露出して設置しても塵埃などの影響を受けないように化粧カバー４´を取り付けたもので、ボックス本体１´は分電盤や壁面にネジで固定することができるようにネジ穴５が形成され、中央には光ファイバトレイ２´を固定する係合凸部６が、上部及び下部にはインドアケーブルを把持する把持部材１０及びブッシング１１を収容する収容部７と、収容部７の両側にファイバプラグを差し込む差し込み孔８´が形成されている（図１３参照）。収容部７は箱状に形成され、前面の切欠き部７ａと後面の壁７ｂにはそれぞれインドアケーブルを通す貫通孔９、９が形成されている。
【００４７】
なお、上部の収容部７の両側には、ブッシング１１を収容する収容部４４、閉塞体４６を収容する収容部４５が形成されている。
【００４８】
上部の収容部７を使用しない時は、この収容部７内には把持部材１０に加え閉塞体４６が収容されているが、上部の収容部７を使用する場合は、閉塞体４６を収容部４５に退避させ、代わりに収容部４４に収容されているブッシング１１を取り外して使用すればよい。
【００４９】
光ファイバトレイ２´は、図１４に示すように、底面に形成された係合孔１５をボックス本体１´に突出形成された係合凸部６に係合させることによりボックス本体１´着脱可能に取り付けることができるようになっている。
【００５０】
この光ファイバトレイ２´は、光ファイバジャック１６を固定する。
【００５１】
固定部１７´にはそれぞれ先端にフックが形成されたコ字状の係止部３２が２個ずつ横並びで立設され、光ファイバジャック１６を両側から係止してファイバトレイ２´上に固定することができるようになっている。又、固定部１７´及び内カバー３´には光ファイバジャック１６の上下面に形成されている凸部３９（図１０参照）に係合する係合溝３８´が形成されている。この係合溝３８´は光ファイバプラグの着脱時に光ファイバジャック１６の移動を防止するためのものである。
【００５２】
内カバー３´は、図１５（ａ）（ｂ）に示すように、板状で表面側の周囲には係止部４０が突出して形成され、孔４１を通してネジでボックス本体１´に固定することができるようになっており、固定時にはボックス本体１´の開口面全体を塞ぐことができるようになっている。そして、前端には下方に突出して、ボックス本体１´の切欠き部７ａを塞ぐ張出部４２（図１２参照）が形成され、この張出部４２にも貫通孔９の一端が形成されている。なお、符号３８´は裏面側に形成された溝でファイバジャックの凸部３９に係合する係合溝を示す。
【００５３】
化粧カバー４´は背面側に内カバー３´の係止部４０に係止するフック４３が形成され（図１６（ｂ）参照）、内カバー３´に重合した状態で上から押し付けることによりフック４３が内カバー３´の係止部４０に係止され、内カバー３´を介してボックス本体１´に固定できるようになっている。
【００５４】
次に、上記構成の光コンセントＡ´の設置態様を、４心のファイバテープ心線を収容し、４つのファイバプラグ５５を接続する場合について、図１７（ａ）〜（ｄ）に基づいて説明する。
【００５５】
先ず、ボックス本体１´を建築物の壁面や、配電盤にネジ５０で固定する（図１７（ａ）参照）。
【００５６】
予め、ファイバ心線１８の先端部にファイバジャック１６を夫々装着した形態のファイバジャックを４つ用意し、次にインドアケーブル５１をブッシング１１の挿通穴１３に挿通した後、インドアケーブル５１の先端の被覆を剥いて４心ファイバテープ心線の先端を分割し、そのファイバ心線１８を出し、光ファイバジャック１６から出ているファイバ心線１８と融着接続し、更に融着部を補強スリーブ２１の略中央に配置して補強スリーブ２１を熱溶着固定してファイバ心線同士の接続部を保護する。
【００５７】
ファイバ心線１８の余長は巻回部２０に適宜ルートで巻き回し、補強スリーブ２１を保持部２２に保持させ、４つの光ファイバジャック１６を固定部１７´の係止部３２でファイバトレイ２´上に固定し、さらにファイバトレイ２´の係合孔１５に係合凸部６を係合させてボックス本体１´に固定する。そして、インドアケーブル５１を把持部材１０に把持させて、ボックス本体１´にファイバトレイ２が収容された状態にする（図１７（ｂ）参照）。
【００５８】
その後、内カバー３´をネジ５２でボックス本体１´に固定してボックス本体１´の全面を塞ぎ（図１７（ｃ）参照）、さらに前面から化粧カバー４´をあてがいボックス本体１´（内カバー３´）に押し付けると、フック４３が内カバー３´の係止部４０に係止され、内カバー３´を介してボックス本体１´に化粧カバー４´を固定すればよい（図１７（ｄ）参照）。
【００５９】
なお、上述の設置態様では、インドアケーブルはボックス本体１´の下部から引き込んだが、ボックス本体１´の上部にも収容部７を設けたので、ボックス本体１´の上部からもインドアケーブルを引き込むことができるので光コンセントの設置の自由度を格段に高めることができる。
【００６０】
また、上述の光コンセントＡ´におけるファイバ心線の巻き回しは、４心のファイバテープ心線を収容し、４つのファイバプラグ５５を接続できるようにした場合について説明したが、１心のファイバテープ心線２本を収容し、それぞれのファイバ心線１８にファイバプラグ５５を接続できるようにする場合は、インドアケーブル５１をブッシング１１の挿通穴１３に挿通した後、インドアケーブル５１の被覆を剥いてファイバ心線１８を出し、光ファイバジャック１６から出ているファイバ心線１８と融着接続し、更に融着部を補強スリーブの略中央に配置して補強スリーブを熱溶着固定してファイバ同士の接続部を保護する。
【００６１】
ファイバ心線１８の余長は巻回部２０に適宜ルートで巻き回し、補強スリーブ２１を保持部２２に保持させ、２つの光ファイバジャック１６を一方の固定部１７´に係止部３２で固定し、他方の固定部１７´には、ボックス本体１´内に塵埃が入らないように遮蔽部材であるブランクチップ５３´を取り付けた後、ファイバトレイ２の係合孔１５をボックス本体１の係合凸部６に係合させて固定する。
【００６２】
そして、インドアケーブル５１を把持部材１０に把持させて、ボックス本体１´にファイバトレイ２´が収容された状態にすればよい（図１８参照）。
【００６３】
上述したように、巻回部２０を２箇所設け、ファイバ心線の引き回しを変えれば光コンセントＡ´の中央部分から引き込んだ光ファイバを、左右のファイバジャックに引き出すことができるし、複数心のファイバ心線を内部で分岐して外部に引き出すことができ、ファイバトレイ２´内で自由にファイバ心線を引き回すことができるので、従来の巻回部が１つしかない光コンセントに比べ、狭い横幅であっても光コンセントを最大４個接続することができる光コンセントを実現することができる。
【図面の簡単な説明】
【００６４】
【図１】（ａ）（ｂ）は本発明に係る光コンセントの正面図及び底面図
【図２】上記光コンセントの構造を説明する分解斜視図
【図３】ボックス本体を説明する正面図
【図４】ファイバトレイを説明する正面図
【図５】（ａ）（ｂ）は巻回部の張出片及び補強スリーブを保持する保持部の斜視図
【図６】（ａ）（ｂ）は内カバーの正面図及びＸ−Ｘ´線における拡大断面図
【図７】（ａ）（ｂ）は化粧カバーの正面図及びＹ−Ｙ´線における拡大断面図
【図８】（ａ）〜（ｄ）は本発明の光コンセントの設置方法を説明する正面図
【図９】（ａ）（ｂ）は光ファイバ心線の収容状態の他の例を示す正面図
【図１０】光ファイバジャックの側面図
【図１１】（ａ）（ｂ）は光コンセントの他の例を示す正面側斜視図および背面側斜視図
【図１２】上記他の例の光コンセントの構造を説明する分解斜視図
【図１３】上記他の例の光コンセントのボックス本体を説明する正面図
【図１４】上記他の例の光コンセントのファイバトレイを説明する正面図
【図１５】（ａ）（ｂ）は上記他の例の光コンセントの内カバーの正面図及びＸ−Ｘ´線における拡大断面図
【図１６】（ａ）（ｂ）は上記他の例の光コンセントの化粧カバーの正面図及びＹ−Ｙ´線における拡大断面図
【図１７】（ａ）〜（ｄ）は上記他の例の光コンセントの設置方法の一例を説明する正面図
【図１８】上記他の例の光コンセントの設置方法の一例を説明する正面図
【符号の説明】
【００６５】
１    ボックス本体
２    光ファイバトレイ
３    内カバー
４    化粧カバー
１７    固定部
１０    把持部材
２０    巻回部
２５    内壁
２６    外壁
２７    張出片
２８    凹部
Ａ    光コンセント
【図１】
2006235557.tif 000003
【図２】
2006235557.tif 000004
【図３】
2006235557.tif 000005
【図４】
2006235557.tif 000006
【図５】
2006235557.tif 000007
【図６】
2006235557.tif 000008
【図７】
2006235557.tif 000009
【図８】
2006235557.tif 000010
【図９】
2006235557.tif 000011
【図１０】
2006235557.tif 000012
【図１１】
2006235557.tif 000013
【図１２】
2006235557.tif 000014
【図１３】
2006235557.tif 000015
【図１４】
2006235557.tif 000016
【図１５】
2006235557.tif 000017
【図１６】
2006235557.tif 000018
【図１７】
2006235557.tif 000019
【図１８】
2006235557.tif 000020